(57)【要約】【課題】より汎用性をもって安価に、ハガキ１０面に表記された目視可能な情報に加えて、付加情報を送付することができるようにしたハガキ１０を提供する。【解決手段】ハガキ１０面に表記した情報と関連する情報を記録した光ディスク媒体３０を取り外し可能に添設した。好ましくは、上記光ディスク媒体３０は、ハガキ１０面の範囲内に収まる平面的大きさを有しており、かつ、添設状態での露出面には、ハガキ１０面における上記光ディスク媒体３０によって覆われていない領域に表記された絵柄および／または文字列４０ａと連続する絵柄および／または文字列４０ｂが表記されている。【選択図】　図２
2004098563.tif 000002
【特許請求の範囲】
【請求項１】
ハガキ面に表記した情報と関連する情報を記録した光ディスク媒体を取り外し可能に添設したことを特徴とする、ハガキ。
【請求項２】
上記光ディスク媒体は、ＣＤまたはＤＶＤである、請求項１に記載のハガキ。
【請求項３】
上記光ディスク媒体は、カード型光ディスク媒体である、請求項１または２に記載のハガキ。
【請求項４】
上記光ディスク媒体は、読み取り面である第１面と、その反対側の第２面とを有しており、第１面をハガキ面に向けて重ねられるように添設されている、請求項１ないし３のいずれかに記載のハガキ。
【請求項５】
上記光ディスク媒体は、ハガキ面の範囲内に収まる平面的大きさを有しており、かつ、その第２面には、ハガキ面における上記光ディスク媒体によって覆われていない領域に表記された絵柄および／または文字列と連続する絵柄および／または文字列が表記されている、請求項４に記載のハガキ。
【請求項６】
接着によって上記光ディスク媒体がハガキ面に添設されている、請求項５に記載のハガキ。
【請求項７】
上記光ディスク媒体は、ハガキ面に上記光ディスク媒体を重ねた上、この光ディスク媒体を少なくともこの光ディスク媒体より平面的に大きい透明フィルムで覆い、かつ、この透明フィルムの適部をハガキ面に接着することにより、ハガキ面に添設されている、請求項５に記載のハガキ。
【請求項８】
ハガキは、少なくとも２つ折りに重ねられた状態が保持できる、互いに重ねられる第１葉と第２葉とを有した形式のものであり、
第１葉に上記光ディスク媒体が添設されているとともに、第２葉には、上記光ディスク媒体を臨ませる窓孔が形成されている、請求項４に記載のハガキ。
【請求項９】
上記第２葉には、その窓孔から臨む光ディスク媒体の第２面に表記された絵柄および／または文字列と連続する絵柄および／または文字列が表記されている、請求項８に記載のハガキ。
【発明の詳細な説明】
【０００１】
【発明の属する技術分野】
本願発明は、ハガキに関し、ハガキ面に表記された目視確認可能な情報に加え、付加された情報をコスト安く送付することができるようにしたものに関する。
【０００２】
【従来の技術】
ハガキは、その大きさが決まっており、本来、受け取り人がハガキ面に表記された情報を目視によって読み取るものである。したがって、表記できる文字数には限りがあり、文字によって伝達できる情報量はわずかである。また、ハガキ面に絵柄を表記するにしても、ハガキの大きさを勘案すると、付与することができる情報量はそれほど多いとはいえない。
【０００３】
このようなことから、たとえば特許文献１には、ハガキ面の一部に特殊な光学読み取り装置によって読み取ることができる情報を付加してハガキによって通知するべき情報量を増やした構成が開示されている。
【０００４】
また、特許文献２には、ハガキの一部にたとえばＩＣカードからなる非接触式カードを組み込んで、受け取り人が得ることができる情報量を増やした構成が開示されている。
【０００５】
【特許文献１】
特開２００１−３０１３７１号公報
【特許文献２】
特開２０００−２５９７９８号公報
【０００６】
【発明が解決しようとする課題】
上記特許文献１に示された構成は、秘密を保持するべき情報を目視によって確認できない暗号化されたコード情報としてこれを印刷等によりハガキ面に担持させた点に重要な意味合いをもつ。たとえば、銀行がローン残高情報をユーザに安価にして通知することに用いられる。
【０００７】
しかしながら、上記特許文献１の構成は、受け取り人側に暗号化コード情報を復号化して獲得するためのツールを必要とする。すなわち、スキャナ装置あるいはリーダによってコード情報を読み取り、これを復号化ソフトウェアによって複合化する必要がある。このことから判るように、特許文献１の構成は、汎用性に乏しい。
【０００８】
また、上記特許文献２の構成もまた、受け取り人側に特殊な読み取り装置を必要とするので、汎用性に乏しい。
【０００９】
本願発明は、上記した事情のもとで考え出されたものであって、より汎用性をもって安価に、ハガキ面に表記された目視可能な情報に加えて、付加情報を送付することができるようにしたハガキを提供することを特徴とする。
【００１０】
【発明の開示】
上記の課題を解決するため、本願発明では、次の各技術的手段を採用した。
【００１１】
すなわち、本願発明によって提供されるハガキは、ハガキ面に表記した情報と関連する情報を記録した光ディスク媒体を取り外し可能に添設したことを特徴としている。
【００１２】
好ましい実施の形態においては、上記光ディスク媒体は、ＣＤまたはＤＶＤが採用される。
【００１３】
好ましい実施の形態においてはまた、上記光ディスク媒体は、カード型光ディスク媒体が採用される。
【００１４】
光ディスク媒体、とくに、最近普及が著しいＣＤ（ＣＤ−ＲＯＭを含む）あるいはＤＶＤ（ＤＶＤ−ＲＯＭを含む）は、大容量記録媒体として知られているが、たとえば、ＣＤについては、名刺サイズのカード型のものが提供されており、その容量は、２０メガバイト程度となっている。このような光ディスク媒体は、文字情報の他、イメージ情報や音声情報を記録することができる。そして、このような光ディスク媒体は、軽量であり、かつ、厚みも高々０．５〜０．７ｍｍ程度であるので、ハガキに添設しても、投函、輸送、配達に何らの支障もないし、郵送料も安価ですむ。
【００１５】
また、ほとんどの家庭にＣＤプレーヤが普及しており、多くの家庭や事業所にＣＤドライブやＤＶＤドライブ付きのパソコンが普及している。したがって、本願発明のハガキの受け取り人は、ハガキ面の表記から目視によって得られる教示にしたがい、ハガキ面から上記の光ディスク媒体を取り外し、これをＣＤプレーヤ、あるいはパソコンのＣＤドライブに装着することによって、ハガキ面に表記された目視可能な情報と関連する音声情報の他、イメージ情報や文字情報を容易に再生取得することができるのである。
【００１６】
好ましい実施の形態においてはさらに、上記光ディスク媒体は、読み取り面である第１面と、その反対側の第２面とを有しており、第１面をハガキ面に向けて重ねられるように添設されている。
【００１７】
このようにすれば、光ディスク媒体の読み取り面がハガキの投函、輸送、配達の過程で外物に接触して傷つくといったことから都合よく保護される。
【００１８】
好ましい実施の形態においてはまた、上記光ディスク媒体は、ハガキ面の範囲内に収まる平面的大きさを有しており、かつ、その第２面には、ハガキ面における上記光ディスク媒体によって覆われていない領域に表記された絵柄および／または文字列と連続する絵柄および／または文字列が表記されている。
【００１９】
このようにすれば、光ディスク媒体が添設されているからといって、ハガキ面のもつ表記可能な領域がなんら減じられることなく、目視によって確認可能な情報を最大限に表記することができるし、また、光ディスク媒体が絵柄一体的にハガキ面に添設されている点に、ハガキのデザインとしてこれまでにはない面白さがある。
【００２０】
好ましい実施の形態においては、接着によって上記光ディスク媒体がハガキ面に添設されている。
【００２１】
他の好ましい実施の形態においては、上記光ディスク媒体は、ハガキ面に上記光ディスク媒体を重ねた上、この光ディスク媒体を少なくともこの光ディスク媒体より平面的に大きい透明フィルムで覆い、かつ、この透明フィルムの適部をハガキ面に接着することにより、ハガキ面に添設されている。
【００２２】
他の好ましい実施の形態においては、ハガキは、少なくとも２つ折りに重ねられた状態が保持できる、互いに重ねられる第１葉と第２葉とを有した形式のものであり、
第１葉に上記光ディスク媒体が添設されているとともに、第２葉には、上記光ディスク媒体を臨ませる窓孔が形成されている。
【００２３】
この場合において、好ましくは、上記第２葉には、その窓孔から臨む光ディスク媒体の第２面に表記された絵柄および／または文字列と連続する絵柄および／または文字列が表記されている。
【００２４】
このように構成しても、上記した本願発明の利点を同様に享受できることは、明らかであろう。
【００２５】
本願発明のその他の特徴および利点は、図面を参照して以下に行なう詳細な説明から、より明らかとなろう。
【００２６】
【発明の実施の形態】
以下、本願発明の好ましい実施の形態につき、図面を参照しつつ具体的に説明する。図１〜図４は、本願発明に係るハガキ１０の第１の実施形態を示し、図５〜図７は第２の実施形態を示す。
【００２７】
まず、本願発明の第１の実施形態に係るハガキ１０について、説明する。このハガキ１０は、図１に示す表面側が宛て先記載面１１となっており、郵便番号記入欄１１ａ、切手貼着欄１１ｂ、あるいは差し出し人記入欄１１ｃ等が印刷によって配置されているが、このような配置に限られるものではない。一方、図２に示す裏面側は通信面１２となっており、受け取り人に通知するべき情報が、絵柄および／または文字列４０として印刷等によって表記される。
【００２８】
通信面１２には、光ディスク媒体としてのカード型ＣＤ−ＲＯＭ３０が添設されている。このカード型ＣＤ−ＲＯＭ３０は、名刺程度の大きさの長矩形状をしており、その厚みは、高々０．５〜０．７ｍｍ、通常は、０．６ｍｍ程度である。このカード型ＣＤ−ＲＯＭ３０は、図４に詳示するように、ポリカーボネイト等の透明基板３１の一面側に記録層３２が形成され、この記録層３２を覆うようにして保護膜３３が形成されている。記録層３２には、カードの中心穴３４を中心とするらせん状の記録トラックが形成されており、この記録トラックには、ＣＤ−ＲＯＭライタ等により、記録マークが書き込まれている。このような記録マークによって記録・再生可能な情報としては、音声情報、文字情報、イメージ情報がある。このＣＤ−ＲＯＭ３０をＣＤドライブに装着すると、光学ヘッドから発せられたレーザビームが透明基板３１側から記録層３２の記録トラックに照射され、その反射光から、記録マークの形態で記録された各情報が読み取られる。なお、本願発明では、上記のようにして光学ヘッドによって情報が読み取られる側をこのＣＤ−ＲＯＭ３０の第１面３０ａとし、それと反対側を第２面３０ｂとしている。第２面３０ｂは、上記したように、保護膜３３で覆われた面であり、光学的情報記録に関してはなんら役割を果たしておらず、印刷等によって絵柄や文字列４０を表記することが可能である。
【００２９】
図３に良く表れているように、上記のカード型ＣＤ−ＲＯＭ３０は、第１面３０ａが通信面１２に接触するようにして、ハガキ１０に添設されている。そして、このＣＤ−ＲＯＭ３０の外部に露出する第２面３０ｂ、および、ハガキ１０の通信面１２のうちのＣＤ−ＲＯＭ３０で覆われていない領域には、互いに連続する絵柄および／または文字列４０ａ，４０ｂが表記されている。すなわち、この絵柄および／または文字列４０ａ，４０ｂは、ハガキ１０の通信面１２と、ＣＤ−ＲＯＭ３０の第２面３０ｂとに、一体的に表記されている。これには、ハガキ１０の通信面１２とＣＤ−ＲＯＭ３０の第２面３０ｂとに、それぞれ対応する絵柄および／または文字列４０ａ，４０ｂを別個に印刷しておき、ＣＤ−ＲＯＭ３０を、ハガキ１０に添設する際に第２面３０ｂの絵柄および／または文字列４０ｂがハガキ１０の通信面１２の絵柄および／または文字列４０ａと連続するように位置合わせしてもよいし、印刷前の状態のハガキ１０の通信面１２にＣＤ−ＲＯＭ３０を一部接着により添設した上で、これらに同時に印刷を施すようにしてもよい。印刷の手法としては、ローラ印刷、スクリーン印刷あるいはインクジェット方式の印刷等がある。
【００３０】
また、ＣＤ−ＲＯＭ３０をハガキ１０に添設する手法としては、この実施形態では、透明接着フィルム２０でＣＤ−ＲＯＭ３０を覆い、かつこのフィルム２０の周囲をハガキ１０の通信面１２に接着することによっているが、このような手法に限らず、ＣＤ−ＲＯＭ３０を接着によって直接ハガキ１０に添設してもよい。この場合、第１面３０ａの情報記録領域が不用意に接着剤で覆われないように留意する必要がある。
【００３１】
以上の構成において、カード型ＣＤ−ＲＯＭ３０は、軽量であり、かつ、厚みも高々０．５〜０．７ｍｍ程度であるので、ハガキ１０に添設しても、投函、輸送、配達に何らの支障もないし、郵送料も安価ですむ。とりわけ、この実施形態では、ＣＤ−ＲＯＭ３０はその読み取り面である第１面３０ａがハガキ１０の通信面１２に接触するようにして添設されているので、読み取り面が都合よく保護され、ハガキ１０の投函、輸送、配達の過程においてＣＤ−ＲＯＭ３０の読み取り面が傷つき、再生不能となるといった事態が回避される。
【００３２】
また、ほとんどの家庭にＣＤプレーヤが普及しており、多くの家庭や事業所にＣＤドライブやＤＶＤドライブ付きのパソコンが普及している。したがって、本願発明のハガキ１０の受け取り人は、ハガキ１０の通信面１２の表記から目視によって得られる教示にしたがい、ハガキ１０から上記ＣＤ−ＲＯＭ３０を取り外し、これをＣＤプレーヤ、あるいはパソコンのＣＤドライブに装着することによって、ハガキ１０の通信面１２に表記された目視可能な情報と関連する音声情報、イメージ情報、文字情報等を容易に再生取得することができるのである。実施形態では、ＣＤ−ＲＯＭ３０は透明フィルム２０に覆われた格好でハガキ１０に添設されているが、このようなフィルム２０は容易に破ることができるので、ＣＤ−ＲＯＭ３０をハガキ１０から容易に取り外すことができる。
【００３３】
このようなハガキ１０の利用方法としては、たとえば、ソフトウエアメーカが、ユーザに対し、バージョンアップ用のソフトウェアを上記ＣＤ−ＲＯＭ３０に格納した格好で安価かつ安全に送付することが考えられる。
【００３４】
さらには、図に示した実施形態では、ＣＤ−ＲＯＭ３０の第２面３０ｂには、ハガキ１０の通信面１２における上記ＣＤ−ＲＯＭ３０によって覆われていない領域に表記された絵柄および／または文字列４０ａと連続する絵柄および／または文字列４０ｂが表記されているので、ＣＤ−ＲＯＭ３０が添設されているからといって、ハガキ１０の通信面１２のもつ表記可能な領域がなんら減じられることなく、目視によって確認可能な情報を最大限に表記することができるし、また、光ディスク媒体が絵柄一体的にハガキ１０面に添設されている点に、ハガキ１０のデザインとしてこれまでにはない面白さが生じる。
【００３５】
次に、本願発明の第２の実施形態に係るハガキ１０について、説明する。図５および図７に示されているように、この実施形態のハガキ１０は、２つ折りに重ねられた状態が保持される形態のハガキ１０である。このハガキ１０は、第１葉１０Ａと第２葉１０Ｂとを備え、第１葉１０Ａの一面側１０Ａａが宛て先記載面１１である。したがって、このハガキ１０は、第１葉１０Ａの他面側１０Ａｂ、第２葉１０Ｂの一面側１０Ｂａおよび第２葉１０Ｂの他面側１０Ｂｂが通信面１２として利用でき、通信面１２の面積は第１の実施形態に示したハガキ１０の実質的に３倍となる。投函時においては、第１葉１０Ａの他面側１０Ａｂと第２葉１０Ｂの一面側１０Ｂａとが相互に密着保持されるように２つ折り状態となっている。また、第１葉１０Ａと第２葉１０Ｂとを開くと、再度の相互密着状態は得られない。
【００３６】
そして、この実施形態では、第１葉１０Ａの他面側１０Ａｂに、ＣＤ−ＲＯＭ３０が、その読み取り面である第１面３０ａを下にして添設されている。一方、第２葉１０Ｂには、このハガキ１０を２つ折り状態としたとき、上記ＣＤ−ＲＯＭ３０を臨ませる開口５０が形成されている。これによってＣＤ−ＲＯＭ３０の第２面３０ｂと第２葉１０Ｂの他面側１０Ｂｂは、協働して、同じ側を向く面を形成することになる。この実施形態では、ＣＤ−ＲＯＭ３０の第２面３０ｂと上記第２葉１０Ｂの他面側１０Ｂｂとに、連続する絵柄および／または文字列４０ａ，４０ｂを表記するのである。このような連続する絵柄および／または文字例の表記方法は、第１の実施形態について上記したのと同様の方法を採用することができる。
【００３７】
ＣＤ−ＲＯＭ３０の添設の手法としては、接着による方法、あるいは、第２葉１０Ｂの他面側１０Ｂｂに、ＣＤ−ＲＯＭ３０の第２面３０ｂを覆うようにして透明な接着フィルムを被せる手法等を採用することができる。
【００３８】
この実施形態についても、第１の実施形態について上述てしたのと同様の利点を享受できることは、容易に理解できよう。
【００３９】
もちろん、この発明の範囲は上記した各実施形態に限定されるものではなく、各請求項に記載した範囲内でのあらゆる変更は、すべて本願発明の範囲に含まれる。
【００４０】
たとえば、光ディスク記録媒体については、ＣＤ−ＲＯＭ３０のほか、ＤＶＤであってもよく、また、カード型に限られるものでもない。ハガキ１０の形態としては、上記第２の実施形態のように、２つ折り形態のほか、３つ折り形態のものとすることもできる。
【００４１】
さらには、ハガキ１０は、その宛て先記載面１１の下半分を通信面１２として利用することがあるが、このような部分に光ディスク媒体を上記した各実施形態と同様な手法で添設することも、もちろん本願発明の範囲に含まれる。
【図面の簡単な説明】
【図１】本願発明の第１の実施形態に係るハガキの宛て先記載面側から見た図である。
【図２】本願発明の第１の実施形態に係るハガキの通信面側から見た図である。
【図３】図２のＩＩＩ−ＩＩＩ線に沿う断面図である。
【図４】ＣＤ−ＲＯＭの断面図である。
【図５】本願発明の第２の実施形態に係るハガキをその第１葉と第２葉とを開いた状態で示す斜視図である。
【図６】本願発明の第２の実施形態に係るハガキを第２葉の通信面側から見た図である。
【図７】図６のＶＩＩ−ＶＩＩ線に沿う断面図である。
【符号の説明】
１０　　　ハガキ
１０Ａ　　第１葉
１０Ｂ　　第２葉
１１　　　宛て先記載面
１１ａ　　郵便番号記入欄
１１ｂ　　切手貼着欄
１１ｃ　　差し出し人記入欄
１２　　　通信面
２０　　　透明フィルム
３０　　　ＣＤ−ＲＯＭ（光ディスク媒体）
３０ａ　　第１面
３０ｂ　　第２面
３１　　　透明基板
３２　　　記録層
３３　　　保護膜
３４　　　中心穴
４０　　　絵柄および／または文字列
５０　　　開口
【図１】
2004098563.tif 000003
【図２】
2004098563.tif 000004
【図３】
2004098563.tif 000005
【図４】
2004098563.tif 000006
【図５】
2004098563.tif 000007
【図６】
2004098563.tif 000008
【図７】
2004098563.tif 000009